【事件の表示】
　特願２０１６−１８６５１２「発光素子」拒絶査定不服審判事件〔平成２９年　１月　５日出願公開、特開２０１７−　　５２７２、請求項の数（１）〕について、次のとおり審決する。
【結　論】
　原査定を取り消す。
　本願の発明は、特許すべきものとする。
【理　由】
第１　手続の経緯
　本願は、平成２０年１１月２７日（優先権主張　平成１９年１１月３０日）に出願した、特願２００８−３０２１３８号の一部を、平成２６年９月３日に新たな特許出願（特願２０１４−１７８６９９号）とし、その一部を、平成２７年７月２８日にさらに新たな特許出願（特願２０１５−１４８４４９号）とし、その一部を、平成２８年９月２６日にさらに新たな特許出願としたものであって、その後の手続の経緯は、以下のとおりである。
　平成２９年８月１０日付け：拒絶理由通知書
　平成２９年１０月１７日：意見書、手続補正書の提出
　平成３０年３月１９日付け：拒絶査定（以下「原査定」という。）
　平成３０年６月２７日：審判請求書、手続補正書の提出
　平成３０年１２月１２日：上申書の提出
　令和元年６月６日付け：拒絶理由通知書（この拒絶理由通知書によって通知された拒絶の理由を、以下、「当審拒絶理由通知」という。）
　令和元年８月１日：意見書、手続補正書の提出
第２　原査定の概要
　原査定の概要は、この出願の請求項１に係る発明は、その優先権主張の日（以下、「本件優先日」という。）前に日本国内又は外国において頒布された刊行物に記載された発明に基づいて、その出願前にその発明の属する技術の分野における通常の知識を有する者（以下、「当業者」という。）が容易に発明をすることができたものであるから、特許法第２９条第２項の規定により特許を受けることができない、というものである。
１．特開２００５−２５５９８６号公報
２．Min Guan et al.，The host materials containing carbazole and oxadiazole fragment for red triplet emitter in organic light-emitting diodes，Organic Electronics，Elsevier，2006年5月19日，Vol.7，p.330-336
３．米国特許出願公開第２００７／０２１６２８８号明細書
４．国際公開第２００６／０９７０６４号
５．国際公開第２００７／０９０３９０号
（当合議体注：主引用例は引用文献１である。引用文献２及び引用文献３（刊行物）、並びに、引用文献４及び引用文献５（電気通信回線を通じて公衆に利用可能となった発明）は周知技術を示す文献である。）
第３　当審拒絶理由通知の概要
　当審拒絶理由通知の概要は、平成３０年６月２７日に提出された手続補正書でした補正は、願書に添付した明細書、特許請求の範囲又は図面に記載した事項の範囲内においてしたものでないから、特許法第１７条の２第３に規定する要件を満たしていない、というものである。
第４　本件発明
　本願請求項１に係る発明（以下、「本件発明１」という。）は、令和元年８月１日に提出された手続補正書で補正された、特許請求の範囲の請求項１に記載された事項により特定されるとおりの、以下のものである。
「　　【請求項１】
　第１の電極と第２の電極との間に発光層を有し、
　前記発光層は、ホール輸送性を有する第１の有機化合物と、電子輸送性を有する第２の有機化合物と、有機金属錯体と、を有し、
　前記第１の有機化合物の量および／または前記第２の有機化合物の量は、前記有機金属錯体よりも多く、
　前記第１の有機化合物の三重項励起エネルギーは、前記有機金属錯体の三重項励起エネルギーよりも大きく、
　前記第２の有機化合物の三重項励起エネルギーは、前記有機金属錯体の三重項励起エネルギーよりも大きく、
　前記有機金属錯体は、式（Ｇ１）で表される構造を有することを特徴とする発光素子。
　　【化１】
（式中、Ａｒは炭素数６〜２５のアリール基を表す。また、Ｒ１は水素、炭素数１〜４のアルキル基、または炭素数１〜４のアルコキシ基のいずれかを表す。Ｒ２〜Ｒ８はそれぞれ、水素、炭素数１〜４のアルキル基、炭素数１〜４のアルコキシ基、炭素数１〜４のアシロキシ基、またはハロゲン基のいずれかを表す。また、Ｍはイリジウムである。）」
第５　引用文献の記載及び引用発明
１　引用文献１の記載事項
　原査定の拒絶の理由に引用され、本件優先日前の平成１７年９月２２日に頒布された刊行物である特開２００５−２５５９８６号公報（以下、「引用文献１」という。）には、以下の事項が記載されている。なお、下線は合議体が発明の認定等に用いた箇所に付与した。
（１）「【発明の詳細な説明】
【技術分野】
【０００１】
　本発明は、発光層形成材料及び有機電界発光素子に関するもので、詳しくは、発光効率が高く、連続駆動時の輝度低下の少ない有機電界発光素子に関するものである。
・・・（省略）・・・
【０００５】
　素子の発光効率を上げる試みとして、蛍光ではなく燐光を用いることも検討されている。燐光を用いる、即ち、三重項励起状態からの発光を利用すれば、従来の蛍光（一重項）を用いた素子と比べて、最大で４倍の効率向上が期待される。
・・・（省略）・・・
【発明が解決しようとする課題】
【００１２】
　本発明は、燐光ドーパント材料を使用した有機電界発光素子において、燐光特有の高い発光効率を維持しながら、連続駆動時に輝度低下の少ない長寿命な素子を提供することを課題とする。
・・・（省略）・・・
【発明の効果】
【００１６】
　本発明の発光層形成材料を用いた有機電界発光素子によれば、高効率でかつ連続駆動時の輝度低下の少ない長寿命な素子が実現できる。特に、今まで困難であった緑色燐光素子や青色燐光素子でも高効率かつ長寿命な素子が可能となる。」
（２）「【発明を実施するための最良の形態】
【００１７】
　以下に記載する構成要件の説明は、本発明の実施態様の一例（代表例）であり、これらの内容に特定はされない。
　本発明は、励起三重項準位（Ｔ１）が２．２ｅＶ以上の異なる２種類以上の電荷輸送性化合物からなるホスト材料と、周期律表第７〜１１族から選ばれる少なくとも１つの金属を含む有機金属錯体からなるドーパント材料を組み合わせてなる、発光層形成材料である。
・・・（省略）・・・
【００２９】
・・・（省略）・・・
　（電荷輸送性化合物の具体例）
　（電子輸送性を有する化合物）
　本発明で用いられる電荷輸送性化合物のうち電子輸送性を有する化合物としては、オキサジアゾール誘導体、トリアゾール誘導体、ジスチリルビフェニル誘導体、シロール誘導体、ベンズオキサゾール金属錯体、ベンゾチアゾール金属錯体、トリスベンズイミダゾリルベンゼン（米国特許第　５，６４５，９４８号）、キノキサリン化合物（特開平６−２０７１６９号公報）、フェナントロリン誘導体（特開平５−３３１４５９号公報）、含ホウ素化合物（ＷＯ　００／４０５８６号公報）、含ピリジン環化合物などが挙げられる。
・・・（省略）・・・
【０１０３】
（正孔輸送性を有する化合物）
　また、本発明で用いられる電荷輸送性化合物のうち正孔輸送性を有する化合物としては、例えば、４，４’−ビス［Ｎ−（１−ナフチル）−Ｎ−フェニルアミノ］ビフェニルで代表される２個以上の３級アミンを含み２個以上の縮合芳香族環が窒素原子に置換した芳香族ジアミン（特開平５−２３４６８１号公報）、４，４’，４''−トリス（１−ナフチルフェニルアミノ）トリフェニルアミン等のスターバースト構造を有する芳香族アミン化合物（Ｊ．　Ｌｕｍｉｎ．，　７２−７４巻、９８５頁、１９９７年）、トリフェニルアミンの四量体から成る芳香族アミン化合物（Ｃｈｅｍ．　Ｃｏｍｍｕｎ．，２１７５頁、１９９６年）、２，２’，７，７’−テトラキス−（ジフェニルアミノ）−９，９’−スピロビフルオレン等のスピロ化合物（Ｓｙｎｔｈ．　Ｍｅｔａｌｓ，　９１巻、２０９頁、１９９７年）、４，４'−Ｎ，Ｎ'−ジカルバゾールビフェニルなどのカルバゾール誘導体（ＷＯ　００／７０６５５号公報）、等が挙げられる。
【０１０４】
　上記の化合物以外に、ポリビニルカルバゾール（特開２００１−２５７０７６号公報）、ポリビニルトリフェニルアミン（特開平７−５３９５３号公報）、テトラフェニルベンジジンを含有するポリアリーレンエーテルサルホン（Ｐｏｌｙｍ．　Ａｄｖ．　Ｔｅｃｈ．，　７巻、３３頁、１９９６年）等の高分子材料が挙げられる。
　上記の化合物のうち、カルバゾール環を有する化合物（カルバゾール誘導体やポリビニルカルバゾールなど）は励起三重項準位（Ｔ１）が高く、より好ましい。
・・・（省略）・・・
【０１５３】
（異なる２種の電荷輸送性化合物の組合せ）
　本発明において、発光層ホストに用いる異なる２種の電荷輸送性化合物として、ピリジン環を有する化合物とカルバゾール環を有する化合物を併せて用いることが特に好ましい。」
（３）「【０１５４】
・・・（省略）・・・
（ドーパント材料）
　本発明では発光層に使用するドーパント材料としては、周期表７ないし１１族から選ばれる金属を含む有機金属錯体が用いられる。該金属錯体のＴ１（励起三重項準位）はホスト材料として使用する電荷輸送性化合物のＴ１より低いことが発光効率の観点から好ましい。さらにドーパント材料において発光が起こることから、酸化還元などの化学的安定性も要求される。
【０１５５】
　周期表７ないし１１族から選ばれる金属を含む燐光性有機金属錯体における、該金属として好ましくは、ルテニウム、ロジウム、パラジウム、銀、レニウム、オスミウム、イリジウム、白金、および金が挙げられる。これらの有機金属錯体として、好ましくは下記一般式（II）または一般式（VI）で表される化合物が挙げられる。
　　　ＭＬn-jＬ’j（II）
（式中、Ｍは金属、ｎは該金属の価数を表す。ＬおよびＬ’は二座配位子を表す。ｊは０または１または２を表す。）
・・・（省略）・・・
【０１６０】
・・・（省略）・・・
　一般式（II）で表される化合物として、さらに好ましくは下記一般式（Ｖａ）、（Ｖｂ）（Ｖｃ）で表される化合物が挙げられる。
【０１６１】
【化８８】
【０１６２】
　（式中、Ｍ４は金属、ｎは該金属の価数を表す。環Ａ１は置換基を有していてもよい芳香族炭化水素基を表わし、環Ａ２は置換基を有していてもよい含窒素芳香族複素環基を表わす。）
【０１６３】
【化８９】
【０１６４】
　（式中、Ｍ5は金属、ｎは該金属の価数を表す。環Ａ１は置換基を有していてもよい芳香族炭化水素基または芳香族複素環基を表わし、環Ａ２は置換基を有していてもよい含窒素芳香族複素環基を表わす。）
【０１６５】
【化９０】
【０１６６】
　（式中、Ｍ6は金属、ｎは該金属の価数を表し、ｊは０または１または２を表す。環Ａ１および環Ａ１’は各々独立に、置換基を有していてもよい芳香族炭化水素基または芳香族複素環基を表わし、環Ａ２および環Ａ２’は各々独立に、置換基を有していてもよい含窒素芳香族複素環基を表わす。）
　一般式（Ｖａ）、（Ｖｂ）、（Ｖｃ）で表される化合物の環Ａ１および環Ａ１’として、好ましくは、フェニル基、ビフェニル基、ナフチル基、アントリル基、チエニル基、フリル基、ベンゾチエニル基、ベンゾフリル基、ピリジル基、キノリル基、イソキノリル基、またはカルバゾリル基が挙げられる。
【０１６７】
　環Ａ２および環Ａ２’として、好ましくは、ピリジル基、ピリミジル基、ピラジル基、トリアジル基、ベンゾチアゾール基、ベンゾオキサゾール基、ベンゾイミダゾール基、キノリル基、イソキノリル基、キノキサリル基、またはフェナントリジル基が挙げられる。
　一般式（Ｖａ）、（Ｖｂ）および（Ｖｃ）で表される化合物が有していてもよい置換基としては、フッ素原子等のハロゲン原子；メチル基、エチル基等の炭素数１〜６のアルキル基；ビニル基等の炭素数２〜６のアルケニル基；メトキシカルボニル基、エトキシカルボニル基等の炭素数２〜６のアルコキシカルボニル基；メトキシ基、エトキシ基等の炭素数１〜６のアルコキシ基；フェノキシ基、ベンジルオキシ基などのアリールオキシ基；ジメチルアミノ基、ジエチルアミノ基等のジアルキルアミノ基；ジフェニルアミノ基等のジアリールアミノ基；カルバゾリル基；アセチル基等のアシル基；トリフルオロメチル基等のハロアルキル基；シアノ基等が挙げられ、これらは互いに連結して環を形成しても良い。
【０１６８】
　なお、環Ａ１が有する置換基と環Ａ２が有する置換基が結合、または環Ａ１’が有する置換基と環Ａ２’が有する置換基が結合して、一つの縮合環を形成してもよく、このような縮合環としては７，８−ベンゾキノリン基等が挙げられる。
　環Ａ１、環Ａ１’、環Ａ２および環Ａ２’の置換基として、より好ましくはアルキル基、アルコキシ基、芳香族炭化水素基、シアノ基、ハロゲン原子、ハロアルキル基、ジアリールアミノ基、またはカルバゾリル基が挙げられる。
【０１６９】
　式（Ｖａ）、（Ｖｂ）におけるＭ4ないしＭ5として好ましくは、ルテニウム、ロジウム、パラジウム、銀、レニウム、オスミウム、イリジウム、白金または金が挙げられる。式（VI）におけるＭ7として好ましくは、ルテニウム、ロジウム、パラジウム、銀、レニウム、オスミウム、イリジウム、白金または金が挙げられ、特に好ましくは、白金、パラジウム等の２価の金属が挙げられる。
【０１７０】
　前記一般式（II）、（Ｖａ）、（Ｖｂ）および（Ｖｃ）で示される有機金属錯体の具体例を以下に示すが、下記の化合物に限定されるわけではない。
【０１７１】
【化９１】
【０１７２】
【化９２】
【０１７３】
　前記一般式（II）、（Ｖａ）、（Ｖｂ）および（Ｖｃ）で表される有機金属錯体の中でも、特に配位子Ｌおよび／またはＬ’として２−アリールピリジン系配位子（２−アリールピリジン、これに任意の置換基が結合したもの、またはこれに任意の基が縮合してなるもの）を有する化合物が好ましい。」
（４）「【実施例】
【０２３９】
　次に、本発明を実施例によって更に具体的に説明するが、本発明はその要旨を越えない限り、以下の実施例の記載に限定されるものではない。
（実施例１）
【０２４０】
　図３に示す構造を有する有機電界発光素子を以下の方法で作製した。
　
ガラス基板１の上に
陽極を形成し
【０２４１】
　
陽極バッファ層３の材料
【０２４２】
【化１０４】
【０２４３】
を電子受容性化合物
【０２４４】
【化１０５】
【０２４５】
と共に
スピンコートし
　　　　溶媒 安息香酸エチル
　　　　塗布液濃度 2[wt%]
　　　　　ＰＢ−１：Ａ−１ １０：１
　　　　スピナ回転数 1500[rpm]
　　　　　スピナ回転時間 30[秒]
　　　　　乾燥条件 100℃１時間
上記のスピンコートにより膜厚30nmの均一な薄膜が形成された。
次に
陽極バッファー層を成膜し
【０２４６】
【化１０６】
【０２４７】
をるつぼの周囲のタンタル線ヒーターで加熱して蒸着を行った。この時のるつぼの温度は、236〜261℃の範囲で制御した。蒸着時の真空度8.0x10-5Pa、蒸着速度は0.20nm/秒で膜厚60nmの
正孔輸送層４を得
　
引続き、発光層５の主成分（ホスト材料）としてピリジン誘導体（ＥＭＰ−１）およびカルバゾール誘導体（ＥＭＣ−１）を、副成分（ドーパント）として有機イリジウム錯体（ＥＭＤ−１）を
【０２４８】
【化１０７】
【０２４９】
化合物（ＥＭＰ−１）のるつぼ温度は 271〜 274℃、化合物（ＥＭＣ−１）のるつぼ温度は285℃、化合物（ＥＭＤ−１）のるつぼ温度は 235℃にそれぞれ制御し、
ＥＭＰ−１：ＥＭＣ−１：ＥＭＤ−１＝１５：１５：１．８の割合で発光層５を正孔輸送層４の上に積層し
尚、このとき用いた
ホスト材料の励起三重項準位は
Ｔ１
EMP-1
＝２．７ｅＶ
Ｔ１
EMC-1
＝２．６ｅＶ
であった
さらに、正孔阻止層
【０２５０】
【化１０８】
【０２５１】
を
積層し
　
正孔阻止層６の上に、電子輸送層７
【０２５２】
【化１０９】
【０２５３】
を同様にして蒸着し
　上記の正孔輸送層、発光層及び電子輸送層を真空蒸着する時の基板温度は室温に保持した。
【０２５４】
　ここで、電子輸送層６までの蒸着を行った素子を一度前記真空蒸着装置内より大気中に取り出して、陰極蒸着用のマスクとして2mm幅のストライプ状シャドーマスクを、陽極２のＩＴＯストライプとは直交するように素子に密着させて、別の真空蒸着装置内に設置して有機層と同様にして装置内の真空度が2.0x10-6Torr（約2.7x10-4Pa）以下になるまで排気した。陰極８として、先ず、フッ化リチウム（LiF）をモリブデンボートを用いて、蒸着速度0.01nm／秒、真空度2.1x10-6Torr（約2.8x10-4Pa）で、0.5nmの膜厚で
電子輸送層７の上に
陰極８を完成させ
【０２５５】
　以上の様にして、2mmx2mm のサイズの発光面積部分を有する
有機電界発光素子が得られた
・・・（省略）・・・
（実施例２）
【０２５６】
　発光層５の副成分（ドーパント）として有機イリジウム錯体（ＥＭＤ−１）の代わりに有機イリジウム錯体（ＥＭＤ−２）を用いた他は実施例１と同様にして素子を作製した。この素子の発光特性を表−１に示す。素子の発光スペクトルの極大波長は624nm、色度はCIE(x,y)=(0.67,0.32)であり、有機イリジウム錯体（ＥＭＤ−２）からのものと同定された。
【０２５７】
【化１１０】
【０２５８】
・・・（省略）・・・
（実施例３）
【０２５９】
　発光層５の主成分（ホスト材料）としてカルバゾール誘導体（ＥＭＣ−１）の代わりにカルバゾール誘導体（ＥＭＣ−２）を用いた他は実施例２と同様にして素子を作製した。この素子の発光特性を表−１に示す。素子の発光スペクトルの極大波長は624nm、色度はCIE(x,y)=(0.67,0.32)であり、有機イリジウム錯体（ＥＭＤ−２）からのものと同定された。
【０２６０】
【化１１１】
【０２６１】
尚、このとき用いたカルバゾール誘導体（ＥＭＣ−２）の励起三重項準位は、薄膜の燐光スペクトルの最もエネルギーの高い（波長の短い）ピーク波長（λT1［ｎｍ］）から、
Ｔ１EMC-2＝２．９ｅＶ
であった。
・・・（省略）・・・
【０２６５】
【表１】
（駆動寿命試験）
　実施例１〜４、比較例１〜４で作製した素子を、下記条件の下、駆動寿命試験を行った。
【０２６６】
　　　　温度 室温
　　　　駆動方式 直流駆動（DC駆動）
定電流で連続発光させ、輝度が２割減少（L/L0=0.8）または５割減少（L/L0=0.5）するまでの時間を比較した。それぞれ比較例素子の時間を１．００とした場合の実施例の相対時間を表−２に示す。実施例の方が比較例よりも寿命（輝度が５割減少するまでの時間）が長く、異なる２種以上の電荷輸送性化合物からなる混合ホストを用いることにより、長寿命の有機燐光素子が実現された。
【０２６７】
【表２】
」
２　引用発明
　前記１の記載事項（４）に基づけば、引用文献１の実施例１には、以下の発明（以下、「引用発明１」という。）が記載されていたと認められる。
　「　ガラス基板１の上に陽極を形成し、
　陽極バッファ層３の材料を電子受容性化合物と共にスピンコートして陽極バッファー層を成膜した後、
　正孔輸送層４を蒸着し、引続き、発光層５の主成分（ホスト材料）としてピリジン誘導体（ＥＭＰ−１）およびカルバゾール誘導体（ＥＭＣ−１）を、副成分（ドーパント）として有機イリジウム錯体（ＥＭＤ−１）をＥＭＰ−１：ＥＭＣ−１：ＥＭＤ−１＝１５：１５：１．８の割合で発光層５を正孔輸送層４の上に積層し、
　ホスト材料の励起三重項準位は、
Ｔ１EMP-1＝２．７ｅＶ
Ｔ１EMC-1＝２．６ｅＶ
であって、
　さらに、正孔阻止層を積層し、
　正孔阻止層の上に、電子輸送層７を蒸着し、
　電子輸送層の上に陰極８を成膜して得られる、
　有機電界発光素子。
 」
３　引用文献２の記載事項
　原査定の拒絶の理由に引用され、本件優先日前の２００６年５月１９日に頒布された刊行物である、「Min Guan et al.，The host materials containing carbazole and oxadiazole fragment for red triplet emitter in organic light-emitting diodes，Organic Electronics，Elsevier，2006年5月19日，Vol.7，p.330-336」（以下、「引用文献２」という。）の第３３４頁のFig. 3には、次の化合物が記載されている。
　「
」
４　引用文献３の記載事項
　原査定の拒絶の理由に引用され、本件優先日前の２００７年９月２０日に頒布された刊行物である、米国特許出願公開第２００７／０２１６２８８号明細書（以下、「引用文献３」という。）の段落[0017]には、次の化合物が記載されている。
　「
」
５　引用文献４の記載事項
　原査定の拒絶の理由に引用され、本件優先日前の２００６年９月２１日に頒布された刊行物である、国際公開第２００６／０９７０６４号（以下、「引用文献４」という。）の第２１頁第１０行には、次の化合物が記載されている。
　「Iridium (III) bis(2-methyldibenzo [f,h]quinoxaline) (acetylacetonate)」
　（合議体注：この化合物を構造式で表すと、次のとおりである。
）
６　引用文献５の記載事項
　原査定の拒絶の理由に引用され、本件優先日前の２００７年８月１６日に頒布された刊行物である、国際公開第２００７／０９０３９０号（以下、「引用文献５」という。）のBild 11（図１１）には、次の化合物が記載されている。
　「
」
７　引用文献Ａの記載事項
　本件優先日前の平成１８年１１月２日に頒布された刊行物である、特開２００６−３０２８６４号公報（以下、「引用文献Ａ」という。）には、以下の事項が記載されている。
　「【００４０】
　バッファー層に含まれる有機化合物の最低励起三重項エネルギー準位（Ｔ１）は、２．７ｅＶ以上であることが好ましく、２．８ｅＶ以上がより好ましい。
・・・（省略）・・・
【００８８】
  各発光層において用いた発光材料のＴ１は以下の通りである。
・・・（省略）・・・
　Ｉｒ（ｐｐｙ）3；  ２．５ｅＶ
・・・（省略）・・・
【００９２】
【化１９】
」
第６　対比・判断
１　本件発明１
（１）　引用発明１との対比
ア　第１の電極と第２の電極との間に発光層を有すること
　引用発明１の「有機電界発光素子」は、「ガラス基板１の上に陽極を形成し」、「陽極バッファー層を成膜した後」、「正孔輸送層４を蒸着し」、「発光層５を正孔輸送層４の上に積層し」、「さらに、正孔阻止層を積層し」、「正孔阻止層の上に、電子輸送層７を蒸着し」、「電子輸送層の上に陰極８を成膜して得られる」。
　ここで、引用発明１の「有機発光素子」は、その名のとおり、「発光素子」である。また、引用発明１の「陽極」及び「陰極」は、技術常識からみて、それぞれ「第１の電極」及び「第２の電極」ということができる。加えて、引用発明１の「発光層５」は、その名のとおり、「発光層」である。そして、引用発明１の「発光層５」は、引用発明１の「有機電界発光素子」の製造工程からみて、「陽極」と「陰極」の間にあることが明らかである。
　そうしてみると、引用発明１の「陽極」、「陰極」、「発光層５」及び「有機電界発光素子」は、それぞれ、本件発明１の「第１の電極」、「第２の電極」、「発光層」及び「発光素子」に相当する。また、引用発明１の「有機発光素子」は、本件発明１の「発光素子」における、「第１の電極と第２の電極との間に発光層を有し」という要件を満たす。
イ　発光層が第１の有機化合物と第２の有機化合物と有機金属錯体とを有すること
　引用発明１の「発光層５」は、「ピリジン誘導体（ＥＭＰ−１）」、「カルバゾール誘導体（ＥＭＣ−１）」及び「有機イリジウム錯体（ＥＭＤ−１）」を有する。
　引用文献１の段落【００２９】には、「電子輸送性を有する化合物」として、「含ピリジン環化合物」が挙げられている。そうしてみると、引用発明１の「ピリジン誘導体（ＥＭＰ−１）」は、電子輸送性を有する有機化合物ということができるから、この化合物は、本件発明１の「電子輸送性を有する第２の有機化合物」に相当する。また、引用文献１の段落【０１０３】には、「正孔輸送性を有する化合物」として、「カルバゾール誘導体」が挙げられている。そうしてみると、引用発明１の「カルバゾール誘導体（ＥＭＣ−１）」は、正孔輸送性を有する有機化合物ということができるから、この化合物は、本件発明１の「ホール輸送性を有する第１の有機化合物」に相当する。加えて、引用発明１の「有機イリジウム錯体（ＥＭＤ−１）」は、技術常識からみて、「有機金属錯体」である。
　そうしてみると、引用発明１の「発光層５」は、本件発明１の「発光素子」における、「ホール輸送性を有する第１の有機化合物と、電子輸送性を有する第２の有機化合物と、有機金属錯体と、を有し」という要件を満たす。
ウ　第１の有機化合物および／または第２の有機化合物の量が有機金属錯体よりも多いこと
　引用発明１の「発光層５」は、「ピリジン誘導体（ＥＭＰ−１）およびカルバゾール誘導体（ＥＭＣ−１）を、有機イリジウム錯体（ＥＭＤ−１）をＥＭＰ−１：ＥＭＣ−１：ＥＭＤ−１＝１５：１５：１．８の割合」で有する。
　上記の材料組成からみて、引用発明１の「発光層５」は、「ピリジン誘導体（ＥＭＰ−１）」及び「カルバゾール誘導体（ＥＭＣ−１）」を、「有機イリジウム錯体（ＥＭＤ−１）」より多く含むことが明らかである。
　そうしてみると、引用発明１の「発光層５」は、本件発明１の「発光素子」における、「前記第１の有機化合物の量および／または前記第２の有機化合物の量は、前記有機金属錯体よりも多く」という要件を満たす。
エ　第１の有機化合物の三重項励起エネルギーが、有機金属錯体の三重項励起エネルギーよりも大きいこと
　引用発明１の「発光層５」は、「有機イリジウム錯体（ＥＭＤ−１）」と、「三重項励起エネルギー」が２．６ｅＶである「カルバゾール誘導体（ＥＭＣ−１）」を含有する。
　引用発明１の「有機イリジウム錯体（ＥＭＤ−１）」は、その化学構造からみて、引用文献Ａに記載の「Ｉｒ（ｐｐｙ）3」である。そして、引用文献Ａには、「Ｉｒ（ｐｐｙ）3」の「最低三重項励起エネルギー」が「２．５ｅＶ」であることが記載されている。引用文献Ａに記載の「最低三重項励起エネルギー」は、技術常識からみて、「三重項励起エネルギー」であるといえる。そうしてみると、引用発明１の「有機イリジウム錯体（ＥＭＤ−１）」の「三重項励起エネルギー」が「２．５ｅＶ」であると認められる。したがって、引用発明１の「カルバゾール誘導体（ＥＭＣ−１）」の「三重項励起エネルギー」は、「有機イリジウム錯体（ＥＭＤ−１）」の「三重項励起エネルギー」よりも大きいことになる。
　そうしてみると、前記イにおける検討も考慮すれば、引用発明１の「第１の有機化合物」及び「有機金属錯体」は、「三重項励起エネルギー」について、本件発明１の「発光素子」における、「前記第１の有機化合物の三重項励起エネルギーは、前記有機金属錯体の三重項励起エネルギーよりも大きく」という要件を満たす。
オ　第２の有機化合物の三重項励起エネルギーが、有機金属錯体の三重項励起エネルギーよりも大きいこと
　引用発明１の「発光層５」は、「有機イリジウム錯体（ＥＭＤ−１）」と、「三重項励起エネルギー」が２．７ｅＶである「ピリジン誘導体（ＥＭＰ−１）」を含有する。
　前記エにおける検討と同様に、引用発明１の「第２の有機化合物」及び「有機金属錯体」は、「三重項励起エネルギー」について、本件発明１の「発光素子」における、「前記第２の有機化合物の三重項励起エネルギーは、前記有機金属錯体の三重項励起エネルギーよりも大きく」という要件を満たす。
（２）　一致点
　以上より、本件発明１と引用発明１は、以下の点で一致する。
「　第１の電極と第２の電極との間に発光層を有し、
　前記発光層は、ホール輸送性を有する第１の有機化合物と、電子輸送性を有する第２の有機化合物と、有機金属錯体と、を有し、
　前記第１の有機化合物の量および／または前記第２の有機化合物の量は、前記有機金属錯体よりも多く、
　前記第１の有機化合物の三重項励起エネルギーは、前記有機金属錯体の三重項励起エネルギーよりも大きく、
　前記第２の有機化合物の三重項励起エネルギーは、前記有機金属錯体の三重項励起エネルギーよりも大きい、
　発光素子。」
（３）相違点
　本件発明１と引用発明１は、以下の点で相違する。
（相違点）
　「有機金属錯体」が、本件発明１は、「式（Ｇ１）で表される構造を有する」のに対し、引用発明１は、そのように特定されていない点。
（４）判断
ア　本件発明１の「式（Ｇ１）で表される構造を有する化合物」は、本件発明の明細書の段落【００１８】に記載のとおり、「ジベンゾ［ｆ，ｈ］キノキサリン骨格を有する配位子を用いた有機金属錯体」であって、「ジベンゾ［ｆ，ｈ］キノキサリン」の２位の位置にアリール基を有する化合物である。
　引用発明１の「有機電界発光素子」は、「発光層５」に含まれる「ドーパント」として、「有機イリジウム錯体（ＥＭＤ−１）」を使用している。しかしながら、当該「有機イリジウム錯体（ＥＭＤ−１）」は、その化学構造からみて、「ジベンゾ［ｆ，ｈ］キノキサリン骨格」を有するものではない。
　また、引用文献１には、「発光層５」に含有させる「ドーパント」として、【化９１】及び【化９２】で表される化合物（段落【０１７１】〜【０１７２】を参照。）が記載されている。しかしながら、これらの化合物も、「ジベンゾ［ｆ，ｈ］キノキサリン骨格」を有しておらず、「ドーパント」として、「式（Ｇ１）で表される構造を有する化合物」を使用することは、記載されていない。
　さらに、引用文献１の段落【０１６１】〜【０１６９】には、引用発明１の「有機イリジウム錯体（ＥＭＤ−１）」に類似するドーパントの一般式として、一般式（Ｖａ）、（Ｖｂ）及び（Ｖｃ）が記載されている。また、引用文献１の段落【０１６８】には、一般式（Ｖａ）、（Ｖｂ）及び（Ｖｃ）において、「環Ａ１が有する置換基と環Ａ２が有する置換基が結合、または環Ａ１’が有する置換基と環Ａ２’が有する置換基が結合して、一つの縮合環を形成してもよく、このような縮合環としては７，８−ベンゾキノリン基等が挙げられる」ことが記載されている。しかしながら、一般式（Ｖａ）、（Ｖｂ）及び（Ｖｃ）で表される化学構造は、本件発明１の一般式（Ｇ１）で表される化学構造よりも上位概念のものである。そして、一般式（Ｖａ）、（Ｖｂ）及び（Ｖｃ）で表される化学構造の具体例として示されている【化９１】及び【化９２】で表される化合物を参照しても、それらの化合物が一般式（Ｇ１）で表される化学構造である「ジベンゾ［ｆ，ｈ］キノキサリン骨格」を示唆するものとはいえない。
　加えて、引用文献１の段落【０１６８】には、「環Ａ１、環Ａ１’、環Ａ２および環Ａ２’の置換基」として、「芳香族炭化水素基」が記載されている。しかしながら、引用文献１には、芳香族炭化水素基の位置が、本件発明１の一般式（Ｇ１）の位置（ジベンゾ［ｆ，ｈ］キノキサリンの２位）とすることについて、記載も示唆もない。そもそも、引用文献１には、本件発明１の一般式（Ｇ１）の環構造について、記載も示唆もない。
　したがって、引用文献１の記載からは、引用発明１のドーパントを、本件発明１のものとすることについての動機づけを見いだすことはできない。
イ　引用文献２〜５には、「有機発光ダイオード」に、前記「第３」で述べた化学構造を有する「ジベンゾ［ｆ，ｈ］キノキサリン骨格を有する配位子を用いた有機金属錯体」を含有する層を設けることが記載されている。
　しかしながら、引用文献２〜５に記載の上記有機金属錯体は、「ジベンゾ［ｆ，ｈ］キノキサリン」の２位の位置にアリール基を有していない。
ウ　前記イで述べたとおり、引用文献２〜５には、「ジベンゾ［ｆ，ｈ］キノキサリン骨格を有する配位子を用いた有機金属錯体」において、ジベンゾ［ｆ，ｈ］キノキサリンの２位の位置にアリール基を有することについて、記載も示唆もない。
　そして、引用文献２〜５の記載はもとより、本件優先日前の、当該技術分野における技術常識を参酌しても、引用文献２〜５に記載の「ジベンゾ［ｆ，ｈ］キノキサリン骨格を有する配位子を用いた有機金属錯体」において、ジベンゾ［ｆ，ｈ］キノキサリンの２位の位置をアリール基で置換した化合物が、引用文献２〜５に記載されているに等しいとはいえない。
　したがって、仮に、引用発明１のドーパントを、引用文献２〜５に記載の「ジベンゾ［ｆ，ｈ］キノキサリン骨格を有する配位子を用いた有機金属錯体」に置き換えたとしても、本件発明１の一般式（Ｇ１）の要件を満たす有機金属錯体には到らない。
エ　また、上記ウで述べたとおりであるから、引用文献２〜５の記載からも、引用発明１のドーパントを、本件発明１のものとすることについての動機づけを見いだすことができない。この点は、本件優先日前の当該技術分野における技術常識を参酌しても、同じである。
オ　本件発明は、「発光効率が高く、かつより長寿命な発光素子を提供する」、「消費電力が少なくより寿命が長い発光装置を提供する」及び「消費電力が少なくより寿命が長い電子機器を提供する」（段落【００１３】）という課題を解決するために、「ジベンゾ［ｆ，ｈ］キノキサリン誘導体を配位子とする有機金属錯体を発光物質として用いた発光素子において、ホール輸送性の化合物と電子輸送性の化合物の両方を発光層に含有させる」（段落【００１４】）という構成を採用したものである。そして、本件発明１は、特に、「ジベンゾ［ｆ，ｈ］キノキサリン誘導体」として「一般式（Ｇ１）で表される構造を有する有機金属錯体」を使用することにより、「色純度が高く、高効率な赤色発光を示す」（段落【００８８】）ものと理解される。なお、上記事項は、段落【０１８５】〜段落【０２０８】の記載によっても裏付けられている。
　一方、引用文献１〜５には、「ジベンゾ［ｆ，ｈ］キノキサリン誘導体を配位子とする有機金属錯体を発光物質として用いた発光素子において、ホール輸送性の化合物と電子輸送性の化合物の両方を発光層に含有させる」ことが記載されておらず、また、これによって上記のような本件発明１の効果が得られることについても記載がない。
　したがって、本件発明１の効果は、引用文献１〜５の記載事項からみて、顕著なものということができる。
（５）小括
　以上のとおりであるから、引用発明１において、本件発明１及び引用文献２〜５に記載された技術事項を参照して、上記相違点に係る構成とすることは、当業者であっても、容易に想到し得たということはできない。
　したがって、本件発明１は、引用発明及び周知技術に基づいて容易に発明をすることができたものということはできない。
第７　当審拒絶理由通知（特許法第１７条の２第３項）について
　本件補正により、当審が通知した拒絶の理由は解消した。
第８　むすび
　以上のとおり、本件発明１は、当業者が引用発明１及び周知技術に基づいて容易に発明をすることができたということはできない。したがって、原査定の理由によっては、本願を拒絶することはできない。
　また、他に本願を拒絶すべき理由を発見しない。
　よって、結論のとおり審決する。